(57)【特許請求の範囲】
【請求項１】
タンクと、先端に噴口を備える吐出ホースと、前記タンクに収容された液体を前記吐出ホースに送出するポンプと、該ポンプを駆動させる電動モータおよびバッテリと、前記ポンプ、前記電動モータ、前記バッテリを収容する収容部と、を具備するバッテリ式動力噴霧器であって、
前記バッテリは、前記バッテリの外表面に配設された押しボタンスイッチと、該押しボタンスイッチの押下により前記バッテリに充電されている電力の残量を表示する残量表示部と、を有し、
前記収容部には開閉可能な蓋体が取り付けられていて、
前記蓋体には、前記バッテリの前記押しボタンスイッチを押圧可能な操作ボタンが設けられていると共に、少なくとも前記残量表示部が外部から視認可能であることを特徴とするバッテリ式動力噴霧器。
【請求項２】
前記蓋体は、少なくとも前記残量表示部の部分が透光性材料により形成されていることを特徴とする請求項１記載のバッテリ式動力噴霧器。
【請求項３】
前記蓋体には、前記押しボタンスイッチの位置に合わせて設けられた貫通孔の外周に沿って外方に突出する筒状の起立壁が配設されていて、
前記操作ボタンは、前記起立壁の開口部および外壁を外側から覆うと共に前記起立壁の軸方向に移動可能に設けられたキャップ体と、該キャップ体の底板から突出して前記起立壁の内部を延び、前記押しボタンスイッチを押圧可能な押圧棒と、
前記キャップ体を前記蓋体から抜け止めするストッパと、を具備することを特徴とする請求項１または２記載のバッテリ式動力噴霧器。
【請求項４】
前記キャップ体は、有底筒状体に形成されており、
前記押圧棒および前記ストッパは前記有底筒状体の開口部側から突出していると共に、前記押圧棒の方が長く形成されていて、前記ストッパの先端部には、前記押圧棒から離反する方向に屈曲させたストッパ片が形成されていて、
前記押圧棒および前記ストッパを前記貫通孔に挿通させることにより、前記ストッパ片が前記蓋体の内側において前記貫通孔の開口部に係合することで前記操作ボタンが前記起立壁から抜け止めされていることを特徴とする請求項３記載のバッテリ式動力噴霧器。
【発明の詳細な説明】
【技術分野】
【０００１】
本発明はバッテリ式動力噴霧器に関し、より詳細には、収容部に着脱可能に装着された残量表示機能付きバッテリの残量をバッテリ収容部に装着した状態で確認することが可能なバッテリ式動力噴霧器に関する。
【背景技術】
【０００２】
使用者により携帯可能なバッテリ式動力噴霧器は以前から広く知られている。このようなバッテリ式動力噴霧器においては、使用前にバッテリを充電する必要があり、バッテリが収容部に着脱可能になっているものがほとんどである。このためバッテリを収容部に容易に着脱するための構成がいくつか提案されており、近年においては特許文献１（特許第６０８１８０９号公報）に開示されているような構成がある。
【先行技術文献】
【特許文献】
【０００３】
【特許文献１】特許第６０８１８０９号公報（請求項１，明細書段落００１７，００１８，図１―図６等）
【発明の概要】
【発明が解決しようとする課題】
【０００４】
近年においては、充電残量を表示する機能を有するバッテリが提供されている。このようなバッテリをバッテリ収容部に装着して用いれば、バッテリ収容部からバッテリを取り外しすることなく充電のタイミングを確認することができる。しかしながら、特許文献１に開示されているバッテリ式動力噴霧器の構造は、バッテリの着脱操作自体は容易ではあるが、バッテリの残量確認の際は、バッテリをバッテリ収容部から取り外し、バッテリ押しボタンスイッチを押下しなければならず、更なる簡便さが求められていた。
【課題を解決するための手段】
【０００５】
そこで本発明は上記課題を解決すべくなされ、その目的とするところは、残量表示機能付きバッテリを用いたバッテリ式動力噴霧器において、バッテリを収容部に装着したままの状態でバッテリの残量表示操作を行うことを可能にしたバッテリ式動力噴霧器の構成を提供することにある。
【０００６】
上記課題を解決するために発明者が鋭意研究した結果、以下の構成に想到した。すなわち本発明は、タンクと、先端に噴口を備える吐出ホースと、前記タンクに収容された液体を前記吐出ホースに送出するポンプと、該ポンプを駆動させる電動モータおよびバッテリと、前記ポンプ、前記電動モータ、前記バッテリを収容する収容部と、を具備するバッテリ式動力噴霧器であって、前記バッテリは、前記バッテリの外表面に配設された押しボタンスイッチと、該押しボタンスイッチの押下により前記バッテリに充電されている電力の残量を表示する残量表示部と、を有し、前記収容部には開閉可能な蓋体が取り付けられていて、前記蓋体には、前記バッテリの前記押しボタンスイッチを押圧可能な操作ボタンが設けられていると共に、少なくとも前記残量表示部が外部から視認可能であることを特徴とするバッテリ式動力噴霧器である。
【０００７】
これにより、バッテリを収容部に装着したままの状態で押しボタンスイッチを操作することができ、確認窓を通じて残量表示部の表示状態を確認することができ、バッテリ残量の確認作業を短時間で容易に行うことが可能になる。
【０００８】
また、前記蓋体は、少なくとも前記残量表示部の部分が透光性材料により形成されていることが好ましい。
【０００９】
これにより、バッテリ収容部の内部を隠した状態にしながらも、残量表示部の確認を容易に行うことができる。
【００１０】
また、前記蓋体には、前記押しボタンスイッチの位置に合わせて設けられた貫通孔の外周に沿って外方に突出する筒状の起立壁が配設されていて、前記操作ボタンは、前記起立壁の開口部および外壁を外側から覆うと共に前記起立壁の軸方向に移動可能に設けられたキャップ体と、該キャップ体の底板から突出して前記起立壁の内部を延び、前記押しボタンスイッチを押圧可能な押圧棒と、前記キャップ体を前記蓋体から抜け止めするストッパと、を具備することが好ましい。
【００１１】
さらに、前記キャップ体は、有底筒状体に形成されており、前記押圧棒および前記ストッパは前記有底筒状体の開口部側から突出していると共に、前記押圧棒の方が長く形成されていて、前記ストッパの先端部には、前記押圧棒から離反する方向に屈曲させたストッパ片が形成されていて、前記押圧棒および前記ストッパを前記貫通孔に挿通させることにより、前記ストッパ片が前記蓋体の内側において前記貫通孔の開口部に係合することで前記操作ボタンが前記起立壁から抜け止めされていることがより好ましい。
【００１２】
これらにより、操作ボタンが配設されている貫通孔の周囲に防水・防塵壁として機能する側壁および起立壁が配設されることになるので、貫通孔から収容部の内部空間への水や埃等に代表される異物の侵入を防止することができる。また、操作ボタンが抜け止めされているため、操作ボタンの紛失を防止することができる。
【発明の効果】
【００１３】
本発明におけるバッテリ式動力噴霧器の構成を採用することにより、残量表示機能付きバッテリを用いたバッテリ式動力噴霧器において、バッテリを収容部に装着したままの状態でバッテリの残量表示操作を行うことができ、バッテリの残量確認を短時間で容易に行うことが可能になる。
【図面の簡単な説明】
【００１４】
【図１】本実施形態におけるバッテリ式動力噴霧器を示す斜視図である。
【図２】蓋体部分の拡大図である。
【図３】蓋体を開いた状態を示す説明図である。
【図４】蓋体に対して操作ボタンを取り付ける前の状態を示す斜視図である。
【図５】操作ボタンを起立壁に取り付けする際の状態を示す要部拡大断面図である。
【図６】蓋体に操作ボタンを取り付けた後の状態を示す要部断面図である。
【発明を実施するための形態】
【００１５】
以下、本発明にかかるバッテリ式動力噴霧器１００の実施形態について、図面に基づいて具体的に説明する。図１に示すように、本実施形態におけるバッテリ式動力噴霧器１００は、タンク１０と、タンク１０に接続され、先端に噴口７０を備える吐出ホース２０と、タンク１０に収容された液体を吐出ホース２０に送出するポンプ３０と、ポンプ３０を駆動させる電動モータ４０およびバッテリ５０と、を収容する収容部６０を具備している。
【００１６】
本実施形態におけるタンク１０は合成樹脂をブロー成型や射出成型等の公知の手法により形成されている。本実施形態におけるタンク１０にはタンク１０内の液体（農薬や除草剤の溶液等）を外部空間に送出する吐出ホース２０が接続されていて、吐出ホース２０の先端部には噴口７０が取り付けられている。また、タンク１０の底部には収容部６０が取り付けられている。収容部６０にはタンク１０に収容された液体を送出するポンプ３０とポンプ３０を駆動させる電動モータ４０およびバッテリ５０と、これらの動作を制御するための動作制御部（図示はせず）が収容されている。本実施形態における吐出ホース２０および噴口７０と収容部６０に収容されている各構成については、公知の構成を採用することができるためここでの詳細な説明は省略する。
【００１７】
本実施形態における収容部６０は、バッテリ５０を収容するバッテリ収容部６２の位置に位置合わせして、開閉可能に形成された蓋体６４が取り付けられている。蓋体６４は、図２および図３に示すようにバッテリ収容部６２の開口端縁の一部に取り付けられたヒンジ部６６を介して収容部６０に取り付けられている。蓋体６４には、蓋体６４を閉めた状態（ロック状態）が維持されるように蓋ロック片Ｓが取り付けられている。この蓋ロック片Ｓの一部は蓋体６４の外表面から突出しており、この蓋ロック片Ｓの突出部分を操作することにより蓋体６４のロック状態の解除が可能になっている。
【００１８】
本実施形態におけるバッテリ５０は、バッテリ５０に充電されている電力の残量（充電残量）を表示する残量表示部５２と、残量表示部５２を作動させるための押しボタンスイッチ５４を有している。このようなバッテリ５０は、残量表示部５２および押しボタンスイッチ５４が外側になるようにバッテリ収容部６２に収容される。そして本実施形態における蓋体６４は、全体が透光性材料により形成されているのでバッテリ収容部６２に収容されているバッテリ５０の残量表示部５２および押しボタンスイッチ５４が収容部６０の外部から目視可能になっている。
【００１９】
また、本実施形態における蓋体６４には、図４および図５に示すようにバッテリ収容部６２に収容されたバッテリ５０の押しボタンスイッチ５４の位置に位置合わせして貫通孔６７が設けられている。本実施形態における貫通孔６７は径寸法がＷ１である小径部６７Ａと径寸法がＷ２である大径部６７Ｂとにより構成された断面逆Ｔ字状に形成されている。また、本実施形態においては貫通孔６７の外周縁に沿って蓋体６４の外表面から離反する方向に（外方に）突出する筒状の起立壁６８が配設されている。本実施形態における起立壁６８の内壁面の幅寸法（径寸法）は、貫通孔６７の小径部６７Ａの径寸法Ｗ１と同一寸法になるようにした。そしてこの起立壁６８（蓋体６４）には、図４〜図６に示すようにして押しボタンスイッチ５４を押下するための操作ボタン８０が取り付けられる。なお、図６は断面図であるが、図面を簡略化するためにここではハッチングを省略した断面図としている。
【００２０】
本実施形態における操作ボタン８０は、図４および図５に示すように、有底筒状体に形成されたキャップ体８２の底板８４からキャップ体８２の高さ方向において延設されると共にキャップ体８２の開口部８２Ａから突出し、押しボタンスイッチ５４を押圧可能な押圧棒８６を有している。また、本実施形態におけるキャップ体８２の底板８４には、押圧棒８６を挟み込む配列でキャップ体８２の開口部８２Ａの側から突出する２本のストッパ８８が立設されている。そしてこれら２本のストッパ８８は、底板８４の位置における外側端面の離間距離Ｗ３が起立壁６８の内幅寸法（小径部６７Ａの径寸法）Ｗ１と同寸法に形成されていると共に、底板８４に対して直交方向に起立している。これら２本のストッパ８８の先端部高さ位置は、押圧棒８６よりも底板８４の側に位置している（ストッパ８８よりも押圧棒８６の方が長く形成されている）と共に押圧棒８６から離反する方向に屈曲するストッパ片８９が形成されている。
【００２１】
操作ボタン８０は、図５および図６に示すように、押圧棒８６および２本のストッパ８８を起立壁６８の内側に挿通させると共に、キャップ体８２の側壁８２Ｂを起立壁６８の開口部および外壁を外側から覆うようにして起立壁６８（蓋体６４）に取り付けられる。このときストッパ８８のストッパ片８９は、蓋体６４の内側における貫通孔６７の開口部である貫通孔６７の大径部６７Ｂにおいて係合した状態になる。このようにして操作ボタン８０は、起立壁６８の軸方向（高さ方向）に移動可能であると共に抜け止めされた状態で取り付けられることになる。
【００２２】
図６に示すように、操作ボタン８０が起立壁６８に取り付けられると、押圧棒８６は起立壁６８の内部を延びた状態になり押圧棒８６がバッテリ収容部６２に収容されているバッテリ５０の押しボタンスイッチ５４に当接した状態になる。したがって使用者は、操作ボタン８０を軽く押せばバッテリ５０の押しボタンスイッチ５４が押圧可能になり、残量表示部５２に表示された充電残量を確認することができる。
【００２３】
また、図６からも明らかなように、本実施形態における収容部６０の構造によれば、蓋体６４の起立壁６８と操作ボタン８０のキャップ体８２の側壁８２Ｂにより蓋体６４に設けられた貫通孔６７を貫通孔６７の外周に沿って立設された二重の壁構造で保護することができる。すなわち、操作ボタン８０の配設に伴って蓋体６４に設けられた貫通孔６７から水や埃等に代表される異物がバッテリ収容部６２に侵入することを防ぐことができる点においても好都合である。
【００２４】
以上、本発明にかかるバッテリ式動力噴霧器１００について実施形態に基づいて説明したが、本発明にかかるバッテリ式動力噴霧器１００の構成は以上に説明した実施形態に限定されるものではない。例えば以上に説明した実施形態におけるバッテリ式動力噴霧器１００においては、蓋体６４の全体を透光性材料により形成した形態について説明しているが、蓋体６４は少なくとも残量表示部５２の部分を透光性材料からなる確認窓（図示はせず）に形成した形態を採用することもできる。これにより、残量表示部５２を視認可能にしながらもバッテリ収容部６２の内部を隠すことができ、製品の外観を良好なものにすることができる点において好都合である。なお、ここでいう透光性材料は透明材料も含む概念である。さらには、蓋体６４の残量表示部５２に対応する部分を開口窓に形成することによっても残量表示部５２を外部から視認可能にした形態を採用することもできる。
【００２５】
また、本実施形態においては、操作ボタン８０には押圧棒８６を挟み込む配列で２本のストッパ８８を配設した形態について説明しているが、ストッパ８８は１本のみ配設した形態や３本以上配設した形態を採用することもできる。また、本実施形態における２本のストッパ８８の外側端面の離間距離Ｗ３は、起立壁６８の内幅寸法Ｗ１と同寸法に形成されているが、Ｗ３＜Ｗ１にすることもできる。この場合、ストッパ片８９の先端部どうしの離間距離が起立壁６８の内幅寸法Ｗ１よりも大きく形成されていればよい。
【００２６】
そして本実施形態における貫通孔６７は小径部６７Ａと大径部６７Ｂとを組み合わせた断面逆Ｔ字状に形成した形態について説明しているが、貫通孔６７をいわゆるテーパ形状に形成した形態を採用することもできる。この場合、貫通孔６７の小径側の開口部が蓋体６４の外側に開口し、大径側の開口部が蓋体６４の内側に開口するようにすればよい。
【００２７】
また、操作ボタン８０とバッテリ５０または蓋体６４との間に操作ボタン８０を押しボタンスイッチ５４から離反させる方向に付勢力を付与する付勢部材を配設した形態を採用しても良い。
【００２８】
また、以上に説明した実施形態における各種変形例どうしを適宜組み合わせた構成を採用することも可能である。
【符号の説明】
【００２９】
１０  タンク，
２０  吐出ホース，
３０  ポンプ，
４０  電動モータ，
５０  バッテリ，
５２  残量表示部，５４  押しボタンスイッチ，
６０  収容部，
６２  バッテリ収容部，６４  蓋体，６６  ヒンジ部，
６７  貫通孔，６７Ａ  小径部，６７Ｂ  大径部，６８  起立壁，
７０  噴口，
８０  操作ボタン，
８２  キャップ体，８２Ａ  開口部，８２Ｂ  側壁，８４  底板，８６  押圧棒，
８８  ストッパ，８９  ストッパ片，
１００  バッテリ式動力噴霧器，
Ｓ  蓋ロック片，
Ｗ１  小径部の径寸法,Ｗ２  大径部の径寸法，Ｗ３  抜け止めストッパの離間距離
【図１】
0006865978.tif 000002
【図２】
0006865978.tif 000003
【図３】
0006865978.tif 000004
【図４】
0006865978.tif 000005
【図５】
0006865978.tif 000006
【図６】
0006865978.tif 000007